(57)【要約】【課題】  フレーム全体に剛性が高い点を解決することで、荷重の伝達性能及び形状の維持性能を向上させることを可能にする。【解決手段】  フロントサブフレーム４２を、アルミニウム合金にて略井桁形状若しくは略矩形のフレームに構成するとともに、略井桁形状若しくは略矩形のコーナに配置する左右の前継手部６４，６４及び左右の後継手部７１,７１と、これらの継手部６４，６４，７１，７１を繋ぐ、左右の縦メンバ６１，６１及び前部・後部横メンバ６２，６７と、から構成し、左右の前継手部６４，６４及び左右の後継手部７１，７１を、アルミニウム合金のダイカスト製品にて形成するとともに、左右の縦メンバ６１，６１を、アルミニウム合金の展伸材にて形成した。【選択図】      図７
2005289115.tif 000002
【特許請求の範囲】
【請求項１】
動力源を含む駆動系部品、ステアリングギヤボックスを含む操舵部品、フロントサスペンションを含む足まわり部品を支持するとともに、車体側に支持させるフロントサブフレームを備えた車体フレーム構造において、
前記フロントサブフレームは、略井桁形状若しくは略矩形のフレームであり、略井桁形状若しくは略矩形のコーナに配置する左右の前継手部及び左右の後継手部と、これらの継手部を繋ぐ、左右の縦メンバ及び前部・後部横メンバと、からなり、
前記左右の前継手部及び左右の後継手部を、アルミニウム合金のダイカスト製品にて形成するとともに、前記左右の縦メンバを、アルミニウム合金の展伸材にて形成したことを特徴とする車体フレーム構造。
【請求項２】
前記左右の縦メンバを、左右の前分割部及び左右の後分割部に分割して構成し、前記左右の後分割部、左右の後継手部及び後部横メンバをアルミニウム合金のダイカスト製品にて一体的に形成するとともに、前記左の前分割部から前記左の後継手部までアルミニウム合金の展伸材にて形成した左の補強部材を延ばし、この左の補強部材を前記左の後分割部及び左の後継手部に固定し、且つ前記右の前分割部から前記右の後継手部までアルミニウム合金の展伸材にて形成した右の補強部材を延ばし、この右の補強部材を前記右の後分割部及び右の後継手部に固定したことを特徴とする請求項１記載の車体フレーム構造。
【請求項３】
前記左の後継手部及び左の補強部材に、及び又は前記右の後継手部及び右の補強部材に、車体の傾きを押えるスタビライザを固定することで、前記ダイカスト製品と前記伸展材とにまたがって固定したことを特徴とする請求項１又は請求項２記載の車体フレーム構造。
【発明の詳細な説明】
【技術分野】
【０００１】
本発明は、駆動系部品、操舵部品若しくは足まわり部品などを搭載して、車体側に取付けるフロントサブフレームを有する車体フレーム構造に関するものである。
【背景技術】
【０００２】
車体フレーム構造として、動力源を含む駆動系部品、ステアリングギヤボックスなどの操舵部品、サスペンションなどの足まわり部品を支持するためのフロントサブフレームを備えたものが実用に供されている。
実用の車体フレーム構造は、フロントサブフレームを、略井桁形状若しくは略矩形に形成し、駆動系部品、操舵部品若しくは足まわり部品などを搭載できるようにすれば実用上十分であった。
【０００３】
このような車体フレーム構造として、アルミニウム合金を素材としたダイカスト製品で形成したフロントサブフレームや、アルミニウム合金の押出し材で構成したフロントサブフレームを採用したものが知られている（例えば、特許文献１，２参照。）。
【特許文献１】特開２００２−１３７６１７号公報（第４頁、図１）
【特許文献２】特開２０００−１７７６２１号公報（第５頁、図２）
【０００４】
図１６は従来のアルミニウムダイカスト製のサブフレームを有する車体フレーム構造の基本構成を説明する図であり、車体フレーム構造３００は、車体側に取付けるサブフレーム３０１と、このサブフレーム３０１の上部からスイング自在に外方に延ばしたアッパアーム３０２と、サブフレーム３０１の下部からスイング自在に外方に延ばしたロアアーム３０３と、これらのアッパアーム３０２及びロアアーム３０３，３０３の先端にそれぞれ上のボールジョイント３０４及び下のジョイント部３０５，３０５を介して可動自在に取付けることで車軸（不図示）を支持する車軸支持部材（ナックル）３０７と、からなり、サブフレーム３０１をアルミニウム合金製のダイカストにて一体的に形成するとともに、サブフレーム３０１の形状を井桁状に形成したものである。
【０００５】
図１７は従来のアルミニウム押出し材で形成したサブフレームを有する車体フレーム構造の基本構成を説明する図であり、車体フレーム構造３１０は、動力源を含む駆動系部品やサスペンションなどの足まわり部品を支持するためのサブフレーム（フロントサブフレーム）３１１の構造である。
【０００６】
サブフレーム３１１は、前フレーム部３１２と、この前フレーム部３１２の左右端部に接続した左右の前コーナ部３１３，３１３と、左の前コーナ部３１３から後方に延ばした左のフレーム部３１４と、右の前コーナ部３１３から後方に延ばした右のフレーム部３１４と、これらの左右のフレーム部３１４，３１４の先端にそれぞれ接続した左右の後コーナ部３１５，３１５と、これらの左右の後コーナ部３１５，３１５同士に接続する後フレーム部３１６と、からなる。
【０００７】
また、サブフレーム３１１は、前フレーム部３１２及び後フレーム部３１６、左右のフレーム部３１４，３１４、左右の前コーナ部３１３，３１３及び左右の後コーナ部に、アルミニウム合金の押出し材を用い、略矩形に形成したものである。
【０００８】
しかし、図１６に示す車体フレーム構造３００では、サブフレーム３０１をアルミニウム合金製のダイカストにて一体的に形成したものなので、フレーム全体に剛性が高く、例えば、衝撃などの過大な荷重がサブフレーム３０１に作用する場合に、作用した荷重を分散させ、荷重を吸収するという荷重の伝達性能と、サブフレーム３０１の初期の形状を保つという形状の維持性能とを向上させるためには、サブフレーム３０１の形状を複雑に形成する必要があり、量産性を高めることだ困難であるという問題があった。
【０００９】
また、図１７に示す車体フレーム構造３１０では、サブフレーム３１１をアルミニウム合金の押出し材で構成したので、フレーム全体の剛性が低く、例えば、大きな操舵反力が発生するステアリングギヤボックス（不図示）などの固定部分や、路面振動の入力がある車体への連結部分には、剛性を向上するために板圧（肉厚）を厚くする必要があり、車体重量の増加を招くという欠点があった。
【００１０】
すなわち、荷重の伝達性能及び形状の維持性能を向上させるとともに、重量増加の抑制を図ることができる車体フレーム構造が望まれる。
【発明の開示】
【発明が解決しようとする課題】
【００１１】
本発明は、フレーム全体に剛性が高い点を解決し、荷重の伝達性能及び形状の維持性能を向上させることができる車体フレーム構造を提供するとともに、剛性を向上するために板圧が厚くしなければならない点を解決し、車体重量の増加を抑制することができる車体フレーム構造を提供することを課題とする。
【課題を解決するための手段】
【００１２】
請求項１に係る発明は、動力源を含む駆動系部品、ステアリングギヤボックスを含む操舵部品、フロントサスペンションを含む足まわり部品を支持するとともに、車体側に支持させるフロントサブフレームを備えた車体フレーム構造において、フロントサブフレームを、略井桁形状若しくは略矩形のフレームに構成するとともに、略井桁形状若しくは略矩形のコーナに配置する左右の前継手部及び左右の後継手部と、これらの継手部を繋ぐ、左右の縦メンバ及び前部・後部横メンバと、から構成し、左右の前継手部及び左右の後継手部を、アルミニウム合金のダイカスト製品にて形成するとともに、左右の縦メンバを、アルミニウム合金の展伸材にて形成したことを特徴とする。
【００１３】
例えば、フロントサブフレームの荷重の伝達性能及び形状の維持性能を向上させることは、衝撃などの入力した荷重を分散させ、この荷重を吸収することができるので、好ましいことであり、板圧が厚くすることなく剛性を向上することができれば、重量増加の抑制を図ることできるので好ましいことである。
【００１４】
そこで、フロントサブフレームを、略井桁形状若しくは略矩形のコーナに配置する左右の前継手部及び左右の後継手部と、これらの継手部を繋ぐ、左右の縦メンバ及び前部・後部横メンバと、から構成し、左右の前継手部及び左右の後継手部を、アルミニウム合金のダイカスト製品にて形成するとともに、左右の縦メンバを、アルミニウム合金の展伸材にて形成した。
【００１５】
すなわち、左右の前継手部及び左右の後継手部を、アルミニウム合金のダイカスト製品にて形成するとともに、左右の縦メンバを、アルミニウム合金の展伸材にて形成することで、フロントサブフレームの荷重の伝達性能及び形状の維持性能を向上させるとともに、重量増加の抑制を図る。
【００１６】
請求項２に係る発明は、左右の縦メンバを、左右の前分割部及び左右の後分割部に分割して構成し、左右の後分割部、左右の後継手部及び後部横メンバをアルミニウム合金のダイカスト製品にて一体的に形成するとともに、左の前分割部から左の後継手部までアルミニウム合金の展伸材にて形成した左の補強部材を延ばし、この左の補強部材を左の後分割部及び左の後継手部に固定し、且つ右の前分割部から右の後継手部までアルミニウム合金の展伸材にて形成した右の補強部材を延ばし、この右の補強部材を右の後分割部及び右の後継手部に固定したことを特徴とする。
【００１７】
左右の後分割部、左右の後継手部及び後部横メンバをアルミニウム合金のダイカスト製品にて一体的に形成することで、例えば、後部横メンバにステアリングギヤボックスなどの操舵部品を固定する場合に強固に支持する。
【００１８】
また、左の前分割部から左の後継手部までアルミニウム合金の展伸材にて形成した左の補強部材を延ばし、この左の補強部材を左の後分割部及び左の後継手部に固定し、且つ右の前分割部から右の後継手部までアルミニウム合金の展伸材にて形成した右の補強部材を延ばし、この右の補強部材を右の後分割部及び右の後継手部に固定することで、フロントサブフレームのさらなる荷重の伝達性能及び形状の維持性能を向上を図る。
【００１９】
請求項３に係る発明は、左の後継手部及び左の補強部材に、及び又は右の後継手部及び右の補強部材に、車体の傾きを押えるスタビライザを固定することで、ダイカスト製品と伸展材とにまたがって固定したことを特徴とする。
剛性の高いダイカスト製品と伸展性のある伸展材とにまたがって固定することで、スタビライザに過大な荷重がかかった場合にも、フロントサブフレームにスタビライザを保持する。
【発明の効果】
【００２０】
請求項１に係る発明では、左右の前継手部及び左右の後継手部を、アルミニウム合金のダイカスト製品にて形成するとともに、左右のフレーム部を、アルミニウム合金の展伸材にて形成したので、フロントサブフレームの荷重の伝達性能及び形状の維持性能を向上させるとともに、重量増加の抑制を図ることができる。この結果、乗り心地の向上を図ることができるとともに、燃料消費率の向上を図ることができるという利点がある。
【００２１】
請求項２に係る発明では、左右の縦メンバの後端部、左右の後継手部及び後部横メンバをアルミニウム合金のダイカスト製品にて一体的に形成したので、例えば、後部横メンバにステアリングギヤボックスなどの操舵部品を固定する場合に強固に支持することができる。この結果、ステアリングの操作フィーリングの向上を図ることができるという利点がある。
【００２２】
また、左の縦メンバの前端部から左の後継手部までアルミニウム合金の展伸材にて形成した左の補強部材を延ばし、この左の補強部材を左の縦メンバの後端部、左の後継手部に固定し、且つ右の縦メンバの前端部から右の後継手部までアルミニウム合金の展伸材にて形成した右の補強部材を延ばし、この右の補強部材を右の縦メンバの後端部、右の後継手部に固定したので、フロントサブフレームのさらなる荷重の伝達性能及び形状の維持性能を向上を図ることができるという利点がある。
【００２３】
請求項３に係る発明では、剛性の高いダイカスト製品と伸展性のある伸展材とにまたがって固定したので、スタビライザに過大な荷重がかかった場合にも、フロントサブフレームにスタビライザを保持することができる。この結果、スタビライザの取付け強度の向上を図ることができるという利点がある。
【発明を実施するための最良の形態】
【００２４】
本発明を実施するための最良の形態を添付図に基づいて以下に説明する。なお、「前」、「後」、「左」、「右」、「上」、「下」は運転者から見た方向に従い、Ｆｒは前側、Ｒｒは後側、Ｌは左側、Ｒは右側、ＣＬは車体中心（車幅中心）を示す。
【００２５】
先ず、車両の概要について図１〜図３に基づき説明する。
図１は本発明に係る車両の前部の斜視図である。車両１０の車体フレーム（車体）２０は前部構造が、車体前部の両側で車体前後に延びた左右のフロントサイドフレーム２１，２１と、これらのフロントサイドフレーム２１，２１の車幅方向外側で且つ上方で車体前後に延びた左右のアッパフレーム２２，２２と、フロントサイドフレーム２１，２１とアッパフレーム２２，２２との間に掛け渡した左右のフロントダンパハウジング２３，２３と、左右のフロントサイドフレーム２１，２１の前部並びに左右のアッパフレーム２２，２２の前部に結合したフロントバルクヘッド２４と、を主要構成としたモノコックボディである。
【００２６】
フロントバルクヘッド２４は、左右のフロントサイドフレーム２１，２１の前部下方で車幅方向に延びたロアクロスメンバ２５と、ロアクロスメンバ２５の両端部から上方へ延びた左右のサイドステイ２６，２６と、これらのサイドステイ２６，２６の上端に結合するべく車幅方向に延びたアッパクロスメンバ２７と、を主要構成とする。
アッパクロスメンバ２７は、左右両端部から斜め後方へ左右の延長部２８，２８を延ばし、これら延長部２８，２８を介して、左右のアッパフレーム２２，２２の長手途中に結合したものである。
【００２７】
このような車体フレーム２０は、左右のフロントサイドフレーム２１，２１の前部と、このフロントサイドフレーム２１，２１の後端から後方へ延びる左右のフロアフレーム３１，３１の前端部とに、前後左右４個の防振用弾性ブッシュ４１・・・（・・・は複数を示す。以下同じ。）を介して、フロントサブフレーム４２を吊り下げた構成である。
【００２８】
図２は本発明に係るフロントサイドフレーム周りの斜視図である。フロントサブフレーム４２は、右半部に横置きエンジン（動力源）４３をマウントするとともに、左半部にトランスミッション４４をマウントしたものである。トランスミッション４４は、出力側から後方にプロペラシャフト４５を延ばして動力を伝達することになる。
【００２９】
図３は本発明に係る車両の後部の斜視図である。車体フレーム２０の後部は、車体後部の両側で車体前後に延びた左右のリヤサイドフレーム５１，５１を主要構成とし、これらのリヤサイドフレーム５１，５１に前後左右４個の防振用弾性ブッシュ５２・・・を介して、リヤサブフレーム５３を吊り下げた構成である。
リヤサブフレーム５３は、リヤデファレンシャルギヤボックス５４を吊り下げ方式にて取付けたものである。リヤサブフレーム５３のうち、前側の前部横メンバ２０２はリヤデファレンシャルギヤボックス５４との干渉を避けるために、両端部が水平で中央部が上方へ凸となるように湾曲した形状、すなわちアーチ状を呈する。なお、２０１は縦メンバ、２０３は後部横メンバを示す。
【００３０】
プロペラシャフト４５（図２参照）から伝達された動力を、リヤデファレンシャルギヤボックス５４内のリヤデファレンシャルギヤを介して、左右のドライブシャフトで左右の後輪に配分して伝達することができる。以上の説明及び図２、図３から明らかなように、車両１０は車体前部に搭載されたエンジン（動力源）４３で前・後輪を駆動する４輪駆動車である。
【００３１】
次に、フロントサブフレーム４２の全体構成について図４〜図７に基づき説明する。図４は本発明に係るフロントサブフレームの斜視図である。図５は本発明に係るフロントサブフレームを構成する各部材の材料説明図である。図６は本発明に係るフロントサブフレームの平面図である。図７は本発明に係るフロントサブフレームの分解斜視図である。
【００３２】
図４及び図５に示すように、フロントサブフレーム４２は金属材料製品、例えばアルミニウム製品又はアルミニウム合金製品（以下、総称して「アルミニウム合金製品」と言う。）である。図５に示す各部材のうち、白地の材料は展伸材としての押出し材（押出し成形品）又は引抜き材（引抜き成形品）を示し、梨地模様の材料はダイカスト製品を示す。
ここで、展伸材とは、アルミニウム及びアルミニウム合金にて形成した板、条、塗装板、塗装条、棒、線、継目無管、溶接管、押出形材、鍛造品、はく、溶接棒、ワイヤ等をすべて含む。
【００３３】
図４、図６及び図７に示すように、フロントサブフレーム４２は平面視略井桁状（♯状）又はロ字状を呈し、車体の前後方向に延びる左右の縦メンバ６１，６１と、これらの縦メンバ６１，６１の前端間に掛け渡すべく車体の左右方向に延びる前部横メンバ６２と、左右の縦メンバ６１，６１の後端間に掛け渡すべく車体の左右方向に延びる後部横メンバ複合体６３と、左右の縦メンバ６１，６１の前分割部６１ａ，６１ａに前部横メンバ６２の端部を連結する左右の前継手部としての左右の第１連結部材６４，６４と、後部横メンバ複合体６３の左右下面に当てる左右の補強部材としての左右の当て板６５，６５（図７参照）と、左右の縦メンバ６１，６１の前分割部６１ａ，６１ａの下面から当て板６５，６５の下面に渡した左右の第２連結部材（接合部材）６６，６６（図７参照）と、からなる。
【００３４】
左右の縦メンバ６１，６１は、前分割部６１ａ，６１ａと、後部横メンバ複合体６３に一体的に形成した後分割部６１ｂ，６１ｂとからなり、前分割部６１ａ，６１ａは、例えば筒状の押出し材（押出し成形品）からなる角パイプを、更にバルジ成型等によって、部分的に凹凸形状に形成した成形品のサイドメンバである。前部横メンバ６２は、例えば筒状の押出し材（押出し成形品）からなる丸パイプのクロスメンバである。左右の第１連結部材６４，６４は、平面視略Ｌ字状を呈するダイカスト製品であって、コーナに上下貫通した貫通孔６４ａを有する車体取付部６４ｂを一体に形成したものである。左右の第１連結部材６４，６４に縦メンバ６１，６１及び前部横メンバ６２を差し込んで、一体的に接合することができる。
【００３５】
後部横メンバ複合体６３は、平面視略Ｈ字状のダイカスト製品からなるクロスメンバである。詳しく述べると、後部横メンバ複合体６３は側方から見たときに略Ｕ字状断面体であって、上方へ凸となる円弧状に湾曲し、中央に設けた後部横メンバ６７と、この後部横メンバ６７の左右の両端に車体の前後方向に延びる左右の後継手部としての左右の副縦メンバ７１，７１と、この副縦メンバ７１，７１から延ばした左右の縦メンバ６１，６１の後分割部６１ｂ，６１ｂと、を一体に形成したものである。
【００３６】
図７に示すように、左右の縦メンバ６１，６１の後分割部６１ａ，６１ａ及び左右の副縦メンバ（左右の後継手部）７１，７１は下向きコ字断面体であって、後部に上下貫通した貫通孔７２，７２を有する車体取付部７３，７３を一体に形成したものである。一方、左右の当て板６５，６５は上向きコ字断面体である。後分割部６１ａ，６１ａ及び副縦メンバ７１，７１の下面のうち少なくとも前半部分に当て板６５，６５を重ねて接合することで、後分割部６１ａ，６１ａ及び副縦メンバ７１，７１を閉断面とすることができる。
【００３７】
さらには、（１）左右の副縦メンバ（左右の後継手部）７１，７１と一体形成した後分割部６１ｂ，６１ｂに左右の縦メンバ６１，６１の前分割部６１ａ，６１ａを接合するとともに、（２）左右の縦メンバ６１，６１の後分割部６１ｂ，６１ｂの下面及び副縦メンバ７１，７１の下面に、当て板６５，６５を当て、前分割部６１ａ，６１ａ及び当て板６５，６５に第２連結部材（接合部材）６６，６６を重ねて接合することにより、（３）後部横メンバ複合体６３に縦メンバ６１，６１の前分割部６１ａ，６１ａを一体的に接合することができる。
以上の説明から明らかなように、当て板６５，６５及び第２連結部材６６，６６は、後部横メンバ複合体６３の両端に縦メンバ６１，６１の前分割部６１ａ，６１ａを一体的に接合するための、連結部材及び補強部材の役割を果たす。
【００３８】
このような後部横メンバ複合体６３は、前部の縁及び後部の縁における左右両端から上方へ突出した複数（例えば前後左右４個）の第１ボス部７４・・・と、前部の縁及び後部の縁における中央部から上方へ突出した複数の第２ボス部７５・・・とを、一体に備える。
左右の副縦メンバ（左右の後継手部）７１，７１は、前部上部に上方へ突出した３個ずつのアーム取付部７６・・・、及び、後部上部に上方へ膨出したスタビライザ用ブラケット取付部７７，７７を一体に備える。
【００３９】
ところで、左右の縦メンバ６１，６１の前分割部６１ａ，６１ａは、車体幅方向の外側に開放したブラケット（凹部）８１，８１（図８参照）を有する。左の縦メンバ６１の前分割部６１ａは、上部に開口したトランスミッション支持用開口部８２を塞ぐダイカスト製のカバー８３を備える。
前部横メンバ６２は、上部中央にパワープラント支持部８４を取付けるとともに、下部中央にジャッキアップ部８５を取付けたものである。
【００４０】
次に、左の縦メンバ６１の前分割部６１ａに設けたブラケット８１について図４、図８及び図９に基づき説明する。なお、右の縦メンバ６１の前分割部６１ａに設けたブラケット８１は左と同様の構成なので、説明を省略する。
図８（ａ），（ｂ）は本発明に係る左の縦メンバの構成図であり、図８（ａ）は左の縦メンバ６１の前分割部６１ａの要部構成を示し、図８（ｂ）は図８（ａ）のｂ−ｂ線で破断した縦メンバ６１の要部構成を示す。
図９（ａ），（ｂ）は本発明に係る左の縦メンバの構成図であり、図９（ａ）は図８（ａ）のｂ−ｂ線で破断した断面構成を示し、図９（ｂ）は図９（ａ）の断面部分に弾性ブッシュ１００を取付けたブッシュ取付構造を示す。
【００４１】
図８及び図９（ａ）に示すように、左の縦メンバ６１の前分割部６１ａは筒状部材にて構成したフレームであり、この筒状部材は上板９１と外方側板９２と下板９３と内方側板９４とにより略四角形の閉断面に形成された部材である。外方側板９２は、図４に示すフロントサブフレーム４２の左側面に相当する。
このような左の縦メンバ６１の前分割部６１ａは長手途中で、図９（ａ）に示すように軸直角方向の断面形状を断面の内側に向けて凹むように構成することで、その凹部８１をブラケットとするとともに、凹部８１の底９７に貫通孔９７ａを開けたものである。
【００４２】
凹部８１の具体的な構成は、上板９１の縁及び下板９３の縁から外方側板９２を閉断面内に折返し、その上下の折返し部９５，９５を介して内方へ上板・下板９１，９３に沿って延ばして上下のブラケット板部９６，９６とし、その延出した先端間を底９７とし、この底９７に貫通孔９７ａを開けた、断面形状である。
【００４３】
上のブラケット板部９６は上板９１の内面に接する平板であり、下のブラケット板部９６は下板９３の内面に接する平板である。このようにして、凹部８１の内側面に上下のブラケット板部９６，９６を形成することができる。
図９に示すように底９７は、内方側板９４から一定の隙間を有した位置で内方側板９４に略平行な平板である。貫通孔９７ａは、底９７の上下の縁の近傍まで開いた大きい孔である。底９７は外力の影響が小さいので、貫通孔９７ａを開けることで縦メンバ６１の軽量化を図ることができる。
【００４４】
図９（ａ）に示すように、折返し部９５，９５は、上板・下板９１，９３の縁からブラケット板部９６，９６にかけて、上下に若干膨出しつつ環状となる断面形状を呈するように折返した部分である。このため、折返し部９５，９５の中には一定の空間部Ｓ１，Ｓ１を有する。従って折返し部９５，９５は、筒状部材である縦メンバ６１に連続して形成した部分であると言える。折返し部９５，９５とブラケット板部９６，９６とは、一定の空間部Ｓ１，Ｓ１を介して互いに対向している。
【００４５】
以上の説明から明らかなように凹部８１、すなわちブラケット８１は、ブラケット板部９６，９６と、このブラケット板部９６，９６から折返される折返し部９５，９５とを有している。このようにブラケット８１は、筒状のフレームからなる縦メンバ６１の長手途中（図８（ａ）参照）に一体に設けたことを特徴とする。さらにブラケット８１は、上下貫通したボルト用貫通孔９８を有する。このボルト用貫通孔９８は上板９１、下板９３及び上下のブラケット板部９６，９６を貫通したものである。
【００４６】
図９（ｂ）は、縦メンバ６１にブラケット８１にて弾性ブッシュ１００を取付けたブッシュ取付構造を示す。弾性ブッシュ１００は、内筒１０１とこの内筒１０１を囲う外筒１０２とをラバー等の弾性体１０３にて連結した構成の防振部材であり、外筒１０２にアーム部材、例えばフロントサスペンションのロアアーム１１２を一体に備える。
【００４７】
ブラケット８１は、内筒１０１の両端をブラケット板部９６，９６にて挟むように配置するとともに、内筒１０１並びにボルト用貫通孔９８を通したボルト１０４にて取付けるようにしたことを特徴とする。上下のブラケット板部９６，９６は、内筒１０１の各端面に接する平面を有している。
上板９１と上のブラケット板部９６とを重ね合わせるとともに、下板９３と下のブラケット板部９６とを重ね合わせることで剛性を高め、上下それぞれ２枚の板によって弾性ブッシュ１００を締結して支えることができる。
【００４８】
次に、フロントサブフレーム４２及びフロントサスペンション１１０周りの構成について図１０〜図１２に基づき説明する。なお、左右のフロントサスペンション１１０，１１０は互いに同様の構成なので、左側だけを説明し、右側を省略する。
図１０は本発明に係るフロントサブフレームにフロントサスペンション及びステアリングギヤボックスを取付けた斜視図である。
図１１は本発明に係るフロントサブフレームにフロントサスペンションを取付けた要部平面図である。
図１２は本発明に係るフロントサブフレーム、フロントサスペンション及びステアリングギヤボックスの分解図である。
【００４９】
図１０に示すように、左のフロントサスペンション１１０は、フロントサイドフレーム２１に上下スイング可能に取付けたアッパアーム１１１と、左の縦メンバ６１の前分割部６１ａ並びに左の副縦メンバ（左の後継手部）７１にスイング可能に取付けたロアアーム１１２と、ロアアーム１１２とフロントダンパハウジング２３（図１参照）との間に取付けたフロントクッション１１３と、アッパアーム１１１並びにロアアーム１１２に連結したナックル１１４とを主要構成として、車体フレーム２０に前輪を懸架する前輪懸架装置である。
【００５０】
図１０〜図１２に示すように、ロアアーム１１２は、ナックル１１４を連結するナックル連結部１２１から前側の前部アーム１２２と後側の後部アーム１２３とを延ばした、平面視略Ｙ字状の部材である。前部アーム１２２の先端部は、弾性ブッシュ１００を介して縦メンバ６１のブラケット８１にボルト１０４にて上下スイング可能に取付けることになる（図９（ｂ）も参照）。一方、後部アーム１２３の先端部は、弾性ブッシュ（図示せず）を介して後部ブラケット１２４にボルト１２５にて上下スイング可能に取付けることになる。後部ブラケット１２４は、副縦メンバ（後継手部）７１のアーム取付部７６・・・にボルト１２６・・・にて取付けたものである。
【００５１】
副縦メンバ（後継手部）７１は、スタビライザ用ブラケット取付部７７にスタビライザ用ブラケット１３１をボルト１３２，１３２にて取付けたものである。スタビライザ用ブラケット１３１は、左右のロアアーム１１２（左のみを示す。）間を連結したロッド状のスタビライザ１３３を支持する部材である。
【００５２】
後部横メンバ６７（後部横メンバ複合体６３）は、車体の左右方向に延びるステアリングギヤボックス１４１を固定する部材を兼ねる。ステアリングギヤボックス１４１は、図示せぬステアリングハンドルの操舵力を車体の左右方向の転舵力に変換してタイロッド１４２から取り出すためのギヤ機構（例えばパワーステアリング式ギヤ機構）を収納した部材である。タイロッド１４２はナックル１１４のアーム１１４ａに連結することになる。
【００５３】
後部横メンバ６７（後部横メンバ複合体６３）にステアリングギヤボックス１４１及びアルミニウムダイカスト製のカバー１４３をこの順に上から重ね、これらの部材を第１ボス部７４・・・にボルト１４４・・・にて共締めし、さらに、第２ボス部７５にカバー１４３をボルト１４５・・・にて止めることで、フロントサブフレーム４２にステアリングギヤボックス１４１を取付けることができる。
【００５４】
車体フレーム２０（図１参照）の下部にフロントサブフレーム４２の四隅をマウントする防振用弾性ブッシュ４１は、上下二分割の弾性ブッシュ部材１５１，１５２，及び取付ボルト１５３からなる。
左の縦メンバ６１のトランスミッション支持用開口部８２は、カバー８３へ防振用弾性ブッシュ１６１をボルト１６２・・・にて取付けるものである。この弾性ブッシュ１６１は、フロントサブフレーム４２にトランスミッション４４（図２参照）をマウントする部材である。
【００５５】
図１３（ａ）〜（ｃ）は本発明に係る車体フレーム構造のフロントサブフレームの作用を示す説明図であり、（ａ）はフロントサブフレームの平面、（ｂ）はフロントサブフレームの側面、（ｃ）はフロントサブフレームの底面を示す。
【００５６】
本発明に係る車体フレーム構造は、動力源（エンジン）４３（図２参照）を含む駆動系部品、ステアリングギヤボックス１４１（図１０参照）を含む操舵部品、フロントサスペンション１１０を含む足まわり部品を支持するとともに、車体フレーム（車体）２０側に支持させるフロントサブフレーム４２を備えた車体フレーム構造において、図１３（ａ）に示すように、フロントサブフレーム４２を、アルミニウム合金（アルミニウムを含む。以下同じ）にて略井桁形状若しくは略矩形のフレームに構成するとともに、略井桁形状若しくは略矩形のコーナに配置する左右の第１連結部６４，６４（以下、「左右の前継手部６４，６４」と記載する）及び左右の副縦メンバ７１，７１（以下、「左右の後継手部７１,７１」と記載する）と、これらの継手部６４，６４，７１，７１を繋ぐ、左右の縦メンバ６１，６１及び前部・後部横メンバ６２，６７と、から構成し、左右の前継手部６４，６４及び左右の後継手部７１，７１を、アルミニウム合金のダイカスト製品にて形成するとともに、左右の縦メンバ６１，６１を、アルミニウム合金の展伸材にて形成したものと言える。
【００５７】
例えば、フロントサブフレームの荷重の伝達性能及び形状の維持性能を向上させることは、衝撃などの入力した荷重を分散させ、この荷重を吸収することができるので、好ましいことであり、板圧が厚くすることなく剛性を向上することができれば、重量増加の抑制を図ることできるので好ましいことである。
【００５８】
そこで、フロントサブフレーム４２を、アルミニウム合金にて略井桁形状若しくは略矩形のフレームに構成するとともに、略井桁形状若しくは略矩形のコーナに配置する左右の前継手部６４，６４及び左右の後継手部７１,７１と、これらの継手部６４，６４，７１，７１を繋ぐ、左右の縦メンバ６１，６１及び前部・後部横メンバ６２，６７と、から構成し、左右の前継手部６４，６４及び左右の後継手部７１，７１を、アルミニウム合金のダイカスト製品にて形成するとともに、左右の縦メンバ６１，６１を、アルミニウム合金の展伸材にて形成した。
【００５９】
すなわち、図１３（ｂ）において、左右の前継手部６４，６４（左の６４は不図示）及び左右の後継手部７１，７１（左の７１は不図示）を、アルミニウム合金のダイカスト製品にて形成するとともに、左右の縦メンバ６１，６１（左の６１は不図示）を、アルミニウム合金の展伸材にて形成することで、フロントサブフレーム４２の荷重の伝達性能及び形状の維持性能を向上させるとともに、重量増加の抑制を図ることができる。この結果、乗り心地の向上を図ることができるとともに、燃料消費率の向上を図ることができる。
【００６０】
本発明に係る車体フレーム構造は、図１３（ａ）〜（ｃ）において、左右の縦メンバ６１，６１を、左右の前分割部６１ａ，６１ａ及び左右の後分割部６１ｂ，６１ｂに分割して構成し、左右の後分割部６１ｂ，６１ｂ、左右の後継手部７１，７１及び後部横メンバ６７をアルミニウム合金のダイカスト製品にて一体的に形成するとともに、左の前分割部６１ａから左の後継手部７１までアルミニウム合金の展伸材にて形成した左の当て板６５（以下、「左の補強部材６５」と記載する）を延ばし、この左の補強部材６５を左の後分割部６１ｂ及び左の後継手部７１に固定し、且つ右の前分割部６１ａから右の後継手部７１までアルミニウム合金の展伸材にて形成した右の当て板６５（以下、「右の補強部材６５」と記載する）を延ばし、この右の補強部材６５を右の後分割部６１ｂ及び右の後継手部７１に固定したものと言える。
【００６１】
左右の後分割部６１ｂ，６１ｂ、左右の後継手部７１，７１及び後部横メンバ６７をアルミニウム合金のダイカスト製品にて一体的に形成することで、例えば、後部横メンバ６７にステアリングギヤボックス１４１（図１０参照）などの操舵部品を固定する場合に強固に支持することができる。この結果、ステアリングの操作フィーリングの向上を図ることができる。
【００６２】
また、左の前分割部６１ａから左の後継手部７１までアルミニウム合金の展伸材にて形成した左の補強部材６５を延ばし、この左の補強部材６５を左の後分割部６１ｂ及び左の後継手部７１に固定し、且つ右の前分割部６１ａから右の後継手部７１までアルミニウム合金の展伸材にて形成した右の補強部材６５（図７参照）を延ばし、この右の補強部材６５を右の後分割部６１ｂ及び右の後継手部７１に固定することで、フロントサブフレーム４２のさらなる荷重の伝達性能及び形状の維持性能を向上を図ることができる。
【００６３】
ここで、荷重の伝達性能とは、フロントサブフレーム４２に過大な荷重が入力する場合に、入力した荷重を分散させ、荷重を吸収する能力であり、荷重の伝達性能を高めることで、フロントサブフレーム４２の衝撃吸収性の向上を図ることができる。
また、形状の維持性能とは、フロントサブフレーム４２の初期状態の形状を保つ能力であり、形状の維持性能を高めることで、フロントサブフレーム４２の剛性の向上を図ることをいう。
【００６４】
図１４は本発明に係る車体フレーム構造のスタビライザの取付け部分を示す斜視図であり、左の後継手部７１及び左の補強部材６５に、車体の傾きを押えるスタビライザ１３３を固定することで、ダイカスト製品と伸展材とにまたがって固定したことを示す。
なお、図７に示す右の後継手部７１及び右の補強部材６５にも、スタビライザ１３３を固定するものである。
【００６５】
図１５は本発明に係る車体フレーム構造のスタビライザの取付け断面を示す斜視図であり、剛性の高いダイカスト製品（左右の後継手部７１，７１）と伸展性のある伸展材（左右の補強部材６５，６５）とにまたがって固定することで、スタビライザ１３３に過大な荷重がかかった場合にも、フロントサブフレーム４２にスタビライザ１３３を保持することができる。この結果、スタビライザ１３３の取付け強度の向上を図ることができる。
【００６６】
尚、本発明に係る車体フレーム構造は、図４に示すように、フロントサブフレーム４２を備えた車体フレーム構造であったが、これに限るものではなく、後輪まわりを支持するリヤサブフレームであってもよい。
【００６７】
本発明に係る車体フレーム構造は、図１４で説明したように、左の後継手部７１及び左の補強部材６５、右の後継手部７１及び右の補強部材６５にスタビライザ１３３を固定したが、これに限るものではなく、左の後継手部及び左の補強部材の組合わせ、若しくは右の後継手部及び右の補強部材の組合わせうちの一方の組合わせのみにスタビライザを固定したものであってもよい。
【００６８】
本発明に係る車体フレーム構造は、図１３に示すように、左右の縦メンバ６１，６１の後分割部６１ｂ，６１ｂ、左右の後継手部７１，７１及び後部横メンバ６７をアルミニウム合金のダイカスト製品にて一体的に形成したが、これに限るものではなく、左右の後継手部及び後部横メンバをダイカスト製品にて一体的に形成したものであってもよい。
【産業上の利用可能性】
【００６９】
本発明に係る車体フレーム構造は、動力源を含む駆動系部品、ステアリングなどの操舵部品、サスペンションなどの足回り部品をフレームに取付ける四輪駆動車などの車両に採用するのに好適である。
【図面の簡単な説明】
【００７０】
【図１】本発明に係る車両の前部の斜視図である。
【図２】本発明に係るフロントサイドフレーム周りの斜視図である。
【図３】本発明に係る車両の後部の斜視図である。
【図４】本発明に係るフロントサブフレームの斜視図である。
【図５】本発明に係るフロントサブフレームを構成する各部材の材料説明図である。
【図６】本発明に係るフロントサブフレームの平面図である。
【図７】本発明に係るフロントサブフレームの分解斜視図である。
【図８】本発明に係る左の縦メンバの構成図である。
【図９】本発明に係る左の縦メンバの構成図である。
【図１０】本発明に係るフロントサブフレームにフロントサスペンション及びステアリングギヤボックスを取付けた斜視図である。
【図１１】本発明に係るフロントサブフレームにフロントサスペンションを取付けた要部平面図である。
【図１２】本発明に係るフロントサブフレームにフロントサスペンション及びステアリングギヤボックスの分解図である。
【図１３】本発明に係る車体フレーム構造のフロントサブフレームの作用を示す説明図である。
【図１４】本発明に係る車体フレーム構造のスタビライザの取付け部分を示す斜視図である。
【図１５】本発明に係る車体フレーム構造のスタビライザの取付け断面を示す斜視図である。
【図１６】従来のアルミニウムダイカスト製のサブフレームを有する車体フレーム構造の基本構成を説明する図である。
【図１７】従来のアルミニウム押出し材で形成したサブフレームを有する車体フレーム構造の基本構成を説明する図である。
【符号の説明】
【００７１】
１０…車両、２０…車体フレーム、４２…フロントサブフレーム、４３…動力源（エンジン）、６１…左右の縦メンバ、６１ａ…前分割部、６１ｂ…後分割部、６２…前部横メンバ、６３…後部横メンバ複合体、６４…左右の前継手部（第１連結部材）、６５…左右の補強部材（当て板）、６７…後部横メンバ、７１…左右の後継手部（副縦メンバ）、１１０…フロントサスペンション、１３３…スタビライザ、１４１…ステアリングギヤボックス。
【図１】
2005289115.tif 000003
【図２】
2005289115.tif 000004
【図３】
2005289115.tif 000005
【図４】
2005289115.tif 000006
【図５】
2005289115.tif 000007
【図６】
2005289115.tif 000008
【図７】
2005289115.tif 000009
【図８】
2005289115.tif 000010
【図９】
2005289115.tif 000011
【図１０】
2005289115.tif 000012
【図１１】
2005289115.tif 000013
【図１２】
2005289115.tif 000014
【図１３】
2005289115.tif 000015
【図１４】
2005289115.tif 000016
【図１５】
2005289115.tif 000017
【図１６】
2005289115.tif 000018
【図１７】
2005289115.tif 000019